(57)【要約】【課題】酸性水やアルカリ水を最適な粒子径で供給する。【解決手段】イオン水供給機構に、貯水タンク（61）と電極対（64,65）及び該電極対（64,65）に電圧を印加する電源部（70）を有する電極ユニット部（62）と超音波発生部（104）とを含み、貯水タンク（61）内の水を電気分解して酸性水及びアルカリ水を生成するイオン水生成器（60）と、酸性水噴霧動作とアルカリ水噴霧動作とを行う噴霧機構（90,95）とを設ける。噴霧機構（90,95）は、酸性水噴霧動作により噴霧される酸性水の粒子径よりもアルカリ水噴霧動作により噴霧されるアルカリ水の粒子径を小さくするように構成され、電極ユニット部（62）は、電極対（64,65）間の電流経路に放電場を形成し、放電によって水酸ラジカルを生成し、超音波発生部（104）は、水中への超音波照射により、水酸ラジカルが変化して生成される過酸化水素を水酸ラジカルに変換する。【選択図】図１
2013138978.tif 000002
【特許請求の範囲】
【請求項１】
貯水タンク（61）と、該貯水タンク（61）に設けられる電極対（64,64x,64y,65,65x,65y）及び該電極対（64,64x,64y,65,65x,65y）に電圧を印加する電源部（70,70a,70b,70c）を有する電極ユニット部（62）と、超音波発生部（104）とを含み、上記貯水タンク（61）内の水を電気分解することにより酸性水及びアルカリ水を生成するイオン水生成器（60）と、
上記酸性水を浴室へ噴霧する酸性水噴霧動作と上記アルカリ水を浴室へ噴霧するアルカリ水噴霧動作とを行う噴霧機構（90,95）とを備え、
上記噴霧機構（90,95）は、上記酸性水噴霧動作により噴霧される酸性水の粒子径よりも、上記アルカリ水噴霧動作により噴霧されるアルカリ水の粒子径を小さくするように構成され、
上記電極ユニット部（62）は、上記電極対（64,64x,64y,65,65x,65y）間に形成される電流経路に放電を行うための放電場を形成し、該放電によって水酸ラジカルを生成するように構成され、
上記超音波発生部（104）は、超音波を上記貯水タンク（61）内の上記水中に照射することにより、該水中に生成した水酸ラジカルが変化して生成される過酸化水素を水酸ラジカルに変換することを特徴とするイオン水供給機構。
【請求項２】
請求項１において、
上記貯水タンク（61）のうち酸性水が貯留される部分と連通する酸性水路（63a,63c）と、上記貯水タンク（61）のうちアルカリ水が貯留される部分と連通するアルカリ水路（63b,63d）とを含むイオン水路（63）と、
上記酸性水路（63a,63c）又はアルカリ水路（63b,63d）を選択的に開放する水路開閉機構（80）と、を備え、
上記噴霧機構（90）は、上記酸性水路（63c）の流出端及び上記アルカリ水路（63d）の流出端の双方と連通する１つの噴霧部（91）を含み、
上記噴霧部（91）は、上記水路開閉機構（80）により上記酸性水路（63c）が開放されている場合に行われる上記酸性水噴霧動作と、上記水路開閉機構（80）により上記アルカリ水路（63d）が開放されている場合に行われる上記アルカリ水噴霧動作とを切り替えて行うように構成されていることを特徴とするイオン水供給機構。
【請求項３】
請求項１において、
上記貯水タンク（61）のうち酸性水が貯留される部分と連通する酸性水路（63a,63c）と、上記貯水タンク（61）のうちアルカリ水が貯留される部分と連通するアルカリ水路（63b,63d）とを有するイオン水路（63）を備え、
上記噴霧機構（95）は、
上記酸性水路（63c）の流出端と繋がり、上記酸性水噴霧動作を行う酸性水噴霧部（96a）と、
上記アルカリ水路（63d）の流出端と繋がり、上記アルカリ水噴霧動作を行うアルカリ水噴霧部（96b）と、を含むことを特徴とするイオン水供給機構。
【請求項４】
請求項１から３のうちいずれか１つにおいて、
流入端が上記貯水タンク（61）のうち酸性水が貯留される部分と連通する一方、流出端が浴槽（U1）と連通する酸性水供給路（52）を備えていることを特徴とするイオン水供給機構。
【請求項５】
請求項１において、
上記電極対（64,64x,64y,65,65x,65y）に印加する電圧のオン又はオフを制御する第１制御部（1）と、
上記超音波発生部（104）の動作を制御する第２制御部（5）とをさらに備え、
上記第１制御部（1）及び上記第２制御部（5）は、上記貯水タンク（61）内の上記水中に含まれる過酸化水素の濃度が所定の上限値を超えないように、上記電極対（64,64x,64y,65,65x,65y）に印加する電圧のオン又はオフ及び上記超音波発生部（104）の動作をそれぞれ制御することを特徴とするイオン水供給機構。
【請求項６】
請求項５において、
上記貯水タンク（61）内の上記水中に含まれる過酸化水素の濃度をモニタするセンサ（7）をさらに備え、
上記第１制御部（1）は、上記センサ（7）によるモニタ結果に応じて上記電極対（64,64x,64y,65,65x,65y）に印加する電圧のオン又はオフを制御し、
上記第２制御部（5）は、上記センサ（7）によるモニタ結果に応じて上記超音波発生部（104）の動作を制御することを特徴とするイオン水供給機構。
【請求項７】
請求項６において、
少なくとも上記水中の過酸化水素の濃度が上記上限値を越えた場合には、上記第１制御部（1）が、上記電極対（64,64x,64y,65,65x,65y）に印加する電圧をオフにして上記放電を停止させるとともに、上記第２制御部（5）が、上記超音波発生部（104）を動作させることを特徴とするイオン水供給機構。
【請求項８】
請求項５から７のうちいずれか１つにおいて、
上記第２制御部（5）は、上記貯水タンク（61）内の上記水中に含まれる過酸化水素の濃度が上記上限値より低い所定の下限値を超える期間中、上記超音波発生部（104）をオン状態にすることを特徴とするイオン水供給機構。
【請求項９】
請求項１において、
上記電極対（64,64x,64y,65,65x,65y）に印加する電圧のオン又はオフの制御、及び上記超音波発生部（104）の動作の制御を行う制御部をさらに備え、
上記制御部は、上記貯水タンク（61）内の上記水中に含まれる過酸化水素の濃度が所定の上限値を超えないように、上記電極対（64,64x,64y,65,65x,65y）に印加する電圧のオン又はオフ、及び上記超音波発生部（104）の動作を制御することを特徴とするイオン水供給機構。
【請求項１０】
請求項９において、
上記制御部は、上記貯水タンク（61）内の上記水中に含まれる過酸化水素の濃度が所定の上限値を超えた場合には、上記電極対（64,64x,64y,65,65x,65y）に印加する電圧をオフにして上記放電を停止させ、上記水中に含まれる過酸化水素の濃度が上記上限値より低い所定の下限値を超える期間中、上記超音波発生部（104）をオン状態にすることを特徴とするイオン水供給機構。
【請求項１１】
請求項１から１０のうちいずれか１つにおいて、
上記貯水タンク（61）内の上記水中に泡を吐出する吐出手段（119）と、
上記吐出手段（119）に気体を送る送出手段（99）とをさらに備え、
上記電極対（64,65）は、板状であって、互いに対向するよう配置されており、
上記電源部（70b）は、上記電極対（64,65）にパルス電圧を印加し、
上記吐出手段（119）は、上記電極対（64,65）の間であって、上記貯水タンク（61）の底部に配置されていることを特徴とするイオン水供給機構。
【発明の詳細な説明】
【技術分野】
【０００１】
本発明は、浴室へ酸性水又はアルカリ水を供給するためのイオン水供給機構に関する。
【背景技術】
【０００２】
従来より、洗浄効果を有するアルカリ水と、殺菌効果を有する酸性水とを使い分ける装置が知られている。この種の装置として、特許文献１には、電解槽と、電解槽で生成されるアルカリ水と酸性水との一方をミストノズルに供給するノズル通路とを備えるミストサウナ装置が開示されている。このミストサウナ装置によれば、目的に応じてアルカリ水又は酸性水を浴室に噴霧することができる。
【先行技術文献】
【特許文献】
【０００３】
【特許文献１】特開２００７−３３０４３５号公報
【発明の概要】
【発明が解決しようとする課題】
【０００４】
ところで、上述した酸性水やアルカリ水は、その用途や目的によって噴霧される最適な粒子径が異なる場合がある。にも拘わらず、従来のミストサウナ装置では、このような点について何ら考慮されていなかった。
【０００５】
本発明は、かかる点に鑑みてなされたものであり、その目的は、酸性水やアルカリ水を用途や目的に応じて最適な粒子径で浴室へ供給できるイオン水供給装置を提供することである。
【課題を解決するための手段】
【０００６】
第１の発明は、貯水タンク（61）と、該貯水タンク（61）に設けられる電極対（64,64x,64y,65,65x,65y）及び該電極対（64,64x,64y,65,65x,65y）に電圧を印加する電源部（70,70a,70b,70c）を有する電極ユニット部（62）と、超音波発生部（104）とを含み、上記貯水タンク（61）内の水を電気分解することにより酸性水及びアルカリ水を生成するイオン水生成器（60）と、上記酸性水を浴室へ噴霧する酸性水噴霧動作と上記アルカリ水を浴室へ噴霧するアルカリ水噴霧動作とを行う噴霧機構（90,95）とを備え、該噴霧機構（90,95）は、上記酸性水噴霧動作により噴霧される酸性水の粒子径よりも、上記アルカリ水噴霧動作により噴霧されるアルカリ水の粒子径を小さくするように構成され、上記電極ユニット部（62）は、上記電極対（64,64x,64y,65,65x,65y）間に形成される電流経路に放電を行うための放電場を形成し、該放電によって水酸ラジカルを生成するように構成され、上記超音波発生部（104）は、超音波を上記貯水タンク（61）内の上記水中に照射することにより、該水中に生成した水酸ラジカルが変化して生成される過酸化水素を水酸ラジカルに変換することを特徴とする。
【０００７】
第１の発明では、貯水タンク（61）内の水は、電極対（64,65）及び電源部（70）を有する電極ユニット部（62）により電気分解されて、酸性水及びアルカリ水が生成される。この酸性水及びアルカリ水は、酸性水噴霧動作及びアルカリ水噴霧動作を行う噴霧機構（90,95）により、浴室に噴霧される。
【０００８】
ここで、第１の発明では、噴霧機構（90,95）は、酸性水を比較的大きな粒子径で噴霧する一方、アルカリ水を、上記酸性水よりも小さい粒子径で噴霧するように構成されている。酸性水の粒子径が大きくなると、浴室の壁や人体の皮膚表面に付着しやすくなる。一方、アルカリ水の粒子径が小さくなると、このアルカリ水は浴室内を浮遊して、人体の体内へ吸引されやすくなる。
【０００９】
第１の発明では、電源部（70）から電極対（64,65）に電圧が印加される。これにより、貯水タンク（61）内で放電が生起する。この放電に伴って貯水タンク（61）内の水中では、過酸化水素が生成される。また、水中では、放電の発生に伴い、水酸ラジカル等の活性種も生成される。さらに、水中に照射された超音波により、過酸化水素が、過酸化水素よりも殺菌・浄化能力が高い水酸ラジカルに変換される。過酸化水素は、比較的高温の条件下においても、水中に残留し易い。具体的に、過酸化水素は、水温が約４０℃以上の条件下で、約１時間経過したとしても、約４％程度の濃度しか分解されない。分解されずに残留する過酸化水素は、超音波照射により、水酸ラジカルに変換される。従って、本発明に係るイオン水生成器（60）により生成された酸性水及びアルカリ水は、水酸ラジカル等の活性種及び過酸化水素を含むため、水酸ラジカル等の活性種及び過酸化水素によって水（酸性水及びアルカリ水）の殺菌・浄化を充分に行うことができる。
【００１０】
第２の発明は、第１の発明において、上記貯水タンク（61）のうち酸性水が貯留される部分と連通する酸性水路（63a,63c）と、上記貯水タンク（61）のうちアルカリ水が貯留される部分と連通するアルカリ水路（63b,63d）とを含むイオン水路（63）と、上記酸性水路（63a,63c）又はアルカリ水路（63b,63d）を選択的に開放する水路開閉機構（80）と、を備え、上記噴霧機構（90）は、上記酸性水路（63c）の流出端及び上記アルカリ水路（63d）の流出端の双方と連通する１つの噴霧部（91）を含み、該噴霧部（91）は、上記水路開閉機構（80）により上記酸性水路（63c）が開放されている場合に行われる上記酸性水噴霧動作と、上記水路開閉機構（80）により上記アルカリ水路（63d）が開放されている場合に行われる上記アルカリ水噴霧動作とを切り替えて行うように構成されていることを特徴とする。
【００１１】
第２の発明では、噴霧機構（90）は、１つの噴霧部（91）を有している。具体的には、噴霧機構（90）は、酸性水噴霧動作及びアルカリ水噴霧動作の両方の動作を行う噴霧部（91）を有している。この噴霧部（91）は、水路開閉機構（80）により酸性水路（63c）が開放された場合、該酸性水路（63c）を通じた酸性水を噴霧する一方、水路開閉機構（80）によりアルカリ水路（63d）が開放された場合、該アルカリ水路（63d）を通じたアルカリ水を噴霧する。
【００１２】
第３の発明は、第１の発明において、上記貯水タンク（61）のうち酸性水が貯留される部分と連通する酸性水路（63a,63c）と、上記貯水タンク（61）のうちアルカリ水が貯留される部分と連通するアルカリ水路（63b,63d）とを有するイオン水路（63）を備え、上記噴霧機構（95）は、上記酸性水路（63c）の流出端と繋がり、上記酸性水噴霧動作を行う酸性水噴霧部（96a）と、上記アルカリ水路（63d）の流出端と繋がり、上記アルカリ水噴霧動作を行うアルカリ水噴霧部（96b）と、を含むことを特徴とする。
【００１３】
第３の発明では、噴霧機構（95）は、第２の発明とは異なり、２つの噴霧部（96a,96b）を含んでいる。具体的には、噴霧機構（95）は、酸性水噴霧動作を行う酸性水噴霧部（96a）と、アルカリ水噴霧動作を行うアルカリ水噴霧部（96b）とを含んでいる。酸性水噴霧部（96a）からは、酸性水路（63c）を通じた酸性水が噴霧され、アルカリ水噴霧部（96b）からは、アルカリ水路（63d）を通じたアルカリ水が噴霧される。
【００１４】
第４の発明は、第１から第３の発明のうちのいずれか１つにおいて、流入端が上記貯水タンク（61）のうち酸性水が貯留される部分と連通する一方、流出端が浴槽（U1）と連通する酸性水供給路（52）を備えていることを特徴とする。
【００１５】
第４の発明では、殺菌効果を有する酸性水が、酸性水供給路（52）を通じて浴槽へ供給される。
【００１６】
第５の発明は、第１の発明において、上記電極対（64,64x,64y,65,65x,65y）に印加する電圧のオン又はオフを制御する第１制御部（1）と、上記超音波発生部（104）の動作を制御する第２制御部（5）とをさらに備え、上記第１制御部（1）及び上記第２制御部（5）は、上記貯水タンク（61）内の上記水中に含まれる過酸化水素の濃度が所定の上限値を超えないように、上記電極対（64,64x,64y,65,65x,65y）に印加する電圧のオン又はオフ及び上記超音波発生部（104）の動作をそれぞれ制御することを特徴とする。
【００１７】
第６の発明は、第５の発明において、上記貯水タンク（61）内の上記水中に含まれる過酸化水素の濃度をモニタするセンサ（7）をさらに備え、上記第１制御部（1）は、上記センサ（7）によるモニタ結果に応じて上記電極対（64,64x,64y,65,65x,65y）に印加する電圧のオン又はオフを制御し、上記第２制御部（5）は、上記センサ（7）によるモニタ結果に応じて上記超音波発生部（104）の動作を制御することを特徴とする。
【００１８】
第７の発明は、第６の発明において、少なくとも上記水中の過酸化水素の濃度が上記上限値を越えた場合には、上記第１制御部（1）が、上記電極対（64,64x,64y,65,65x,65y）に印加する電圧をオフにして上記放電を停止させるとともに、上記第２制御部（5）が、上記超音波発生部（104）を動作させることを特徴とする。
【００１９】
第８の発明は、第５から第７の発明のうちのいずれか１つにおいて、上記第２制御部（5）は、上記貯水タンク（61）内の上記水中に含まれる過酸化水素の濃度が上記上限値より低い所定の下限値を超える期間中、上記超音波発生部（104）をオン状態にすることを特徴とする。
【００２０】
第９の発明は、第１の発明において、上記電極対（64,64x,64y,65,65x,65y）に印加する電圧のオン又はオフの制御、及び上記超音波発生部（104）の動作の制御を行う制御部をさらに備え、上記制御部は、上記貯水タンク（61）内の上記水中に含まれる過酸化水素の濃度が所定の上限値を超えないように、上記電極対（64,64x,64y,65,65x,65y）に印加する電圧のオン又はオフ、及び上記超音波発生部（104）の動作を制御することを特徴とする。
【００２１】
第１０の発明は、第９の発明において、上記制御部は、上記貯水タンク（61）内の上記水中に含まれる過酸化水素の濃度が所定の上限値を超えた場合には、上記電極対（64,64x,64y,65,65x,65y）に印加する電圧をオフにして上記放電を停止させ、上記水中に含まれる過酸化水素の濃度が上記上限値より低い所定の下限値を超える期間中、上記超音波発生部（104）をオン状態にすることを特徴とする。
【００２２】
第１１の発明は、第１から第１０の発明のうちのいずれか１つにおいて、上記貯水タンク（61）内の上記水中に泡を吐出する吐出手段（119）と、上記吐出手段（119）に気体を送る送出手段（99）とをさらに備え、上記電極対（64,65）は、板状であって、互いに対向するよう配置されており、上記電源部（70b）は、上記電極対（64,65）にパルス電圧を印加し、上記吐出手段（119）は、上記電極対（64,65）の間であって、上記貯水タンク（61）の底部に配置されていることを特徴とする。
【発明の効果】
【００２３】
第１の発明によれば、酸性水は、比較的大きな粒子径となるように浴室内に噴霧される一方、アルカリ水は、酸性水よりも小さい粒子径となるように浴室内に噴霧される。これにより、酸性水は浴室の壁や人体の皮膚表面に付着し易くなるため、この酸性水を壁や皮膚表面の殺菌用途として利用できる。一方、アルカリ水は浴室内を浮遊して、体内に吸引されやすくなるため、このアルカリ水を人体の胃腸改善の用途として利用できる。
【００２４】
さらに、水酸ラジカル等の活性種及び過酸化水素を酸性水及びアルカリ水に添加できるため、浴室に噴霧される酸性水又はアルカリ水が例えば４０度以上の高温であっても、この酸性水及びアルカリ水を十分に除菌できる。
【００２５】
第２の発明によれば、酸性水噴霧動作及びアルカリ水噴霧動作を１つの噴霧部（91）で行える構成としたため、噴霧機構（90）を小型化することができる。
【００２６】
第３の発明によれば、酸性水のみを噴霧可能な酸性水噴霧部（96a）と、アルカリ水のみを噴霧可能なアルカリ水噴霧部（96b）とを設けたため、噴霧される酸性水又はアルカリ水の粒子径を変更するための機構を設ける必要がなくなる。従って、容易な構造で、酸性水及びアルカリ水を噴霧させることができる。
【００２７】
第４の発明によれば、殺菌効果を有する酸性水を浴槽（U1）へ供給できるため、浴槽（U1）を除菌して清潔に保つことができる。
【００２８】
第５の発明によれば、浴室へ供給される水（酸性水又はアルカリ水）中の過酸化水素の濃度が上限値以下に抑えられるので、過酸化水素を除去するための処理が容易になる。
【００２９】
第６の発明によれば、第１制御部（1）及び第２制御部（5）が、貯水タンク（61）の水中の過酸化水素濃度に応じて放電の制御及び超音波照射の制御をそれぞれ行うので、水中の過酸化水素濃度が所望の範囲内になるよう制御しつつ、浄化処理を行うことができる。
【００３０】
第７の発明によれば、水中の過酸化水素の濃度が上限値を超えた場合に放電を停止させて過酸化水素の生成を停止させるので、水中の過酸化水素濃度を上限値以下にすることができ、浴室へ供給される水中からの過酸化水素の除去を容易にすることができる。
【００３１】
第８の発明によれば、水中の過酸化水素濃度を下限値以上に制御することができるので、超音波を照射した場合に水酸ラジカルを効率良く発生させることが可能となる。
【００３２】
第９の発明によれば、水中の過酸化水素の濃度が上限値を超えないように制御部によって制御されるので、過酸化水素を除去するための処理を容易にすることができる。
【００３３】
第１０の発明によれば、水中の過酸化水素濃度を下限値以上に制御することができるので、超音波を照射した場合に水酸ラジカルを効率良く発生させることが可能となる。
【００３４】
第１１の発明によれば、電極対（64,65）にパルス電圧を印加する場合であっても放電を生起させることができるので、水中で水酸ラジカルを効率的に発生させ、超音波照射と組み合わせることでより高い浄化効果を得ることができる。
【図面の簡単な説明】
【００３５】
【図１】図１は、実施形態１に係る給湯システムの全体構成を示す配管系統図である。
【図２】図２は、実施形態１に係るイオン水生成器の全体構成図であり、イオン水生成器が動作する前の状態を示すものである。
【図３】図３は、実施形態１に係る絶縁ケーシングの斜視図である。
【図４】図４（ａ）及び図４（ｂ）は、超音波発生部の具体例を示す拡大断面図である。
【図５】図５は、実施形態１に係るイオン水生成器の全体構成図であり、イオン水生成器が動作して気泡が形成された状態を示すものである。
【図６】図６は、実施形態１の変形例に係るイオン水生成器の全体構成図である。
【図７】図７は、実施形態１の変形例に係る絶縁ケーシングの斜視図である。
【図８】図８は、実施形態２に係るイオン水生成器の全体構成図である。
【図９】図９は、実施形態２に係るイオン水生成器を構成する水浄化ユニットの構成を示す断面図である。
【図１０】図１０は、イオン水生成器による運転動作の基本サイクルを示す図である。
【図１１】図１１（ａ）は、水中の過酸化水素の濃度を用いてフィードバック制御を行う場合の運転制御の一例を示すタイムチャートであり、図１１（ｂ）は、水中の過酸化水素の濃度変化の測定値を用いてフィードフォワード制御を行う場合の運転制御の一例を示すタイムチャートである。
【図１２】図１２は、実施形態３に係るイオン水生成器を構成する水浄化ユニットの構成を示す断面図である。
【図１３】図１３は、実施形態４に係るイオン水生成器を構成する水浄化ユニットの構成を示す断面図である。
【図１４】図１４は、実施形態５に係るイオン水生成器を構成する水浄化ユニットの構成を示す断面図である。
【図１５】図１５は、実施形態２の変形例２に係る電極ユニット部の全体構成図であり、電極ユニット部が動作する前の状態を示すものである。
【図１６】図１６は、実施形態２の変形例２に係るイオン水生成器の全体構成図である。
【図１７】図１７は、実施形態２の変形例２に係る電極ユニット部の全体構成図であり、電極ユニット部が動作して気泡が形成された状態を示すものである。
【図１８】図１８は、実施形態２の変形例２において、複数の開口が形成された蓋部の平面図である。
【図１９】図１９は、その他の実施形態に係る給湯システムの全体構成を示す配管系統図である。
【図２０】図２０は、その他の実施形態に係る給湯システムの全体構成を示す配管系統図である。
【発明を実施するための形態】
【００３６】
本願発明者らは、水中での放電による菌の繁殖の抑制効果をさらに検討した結果、水中での放電によって該水中の過酸化水素の濃度が増加すること、及びその際の過酸化水素の濃度は水を電気分解する場合と比べて条件によっては１００倍程度にもなることを実験的に確認した。これは、放電によって生じた水酸ラジカルや酸素ラジカルが最終的に過酸化水素になったためと考えられる。
【００３７】
さらに、殺菌・浄化能力は、過酸化水素よりも水酸ラジカルの方が高いため、水中に超音波を照射して、過酸化水素を水酸ラジカルに変換することにより、殺菌・浄化作用が向上することを突き止めた。
【００３８】
本願発明者らはこれらのことを考え合わせ、放電と超音波照射とを組み合わせることで、水酸ラジカルによって効果的且つ継続的に水を浄化することができるとともに、水中の過酸化水素濃度を一定範囲に制御することができることに想到した。
【００３９】
以下、本発明の実施形態を図面に基づいて詳細に説明する。なお、以下の実施形態は、本質的に好ましい例示であって、本発明、その適用物、あるいはその用途の範囲を制限することを意図するものではない。
【００４０】
《発明の実施形態１》
本発明の実施形態１に係る給湯システム（10）の全体構成について、図１を参照しながら説明する。給湯システム（10）は、浴槽（U1）やミストノズル（U2）へ温水を供給するシステムである。ミストノズル（U2）とは、温水をミスト状にして浴室へ噴霧するためのものである。このように温水を浴室内へ噴霧することにより、浴室をサウナとして利用することができる。ミストノズル（U2）は、浴室の天井に取り付けられている。
【００４１】
実施形態１に係る給湯システム（10）では、利用者が操作パネル（図示省略）等を操作することにより、浴槽（U1）やミストノズル（U2）に供給される温水を酸性又はアルカリ性にすることができる。給湯システム（10）は、いわゆるヒートポンプ式の給湯器であり、熱源ユニット（30）と給湯ユニット（40）とイオン水供給機構（50）とを有している。
【００４２】
熱源ユニット（30）は、圧縮機（31）と加熱熱交換器（32）と膨張弁（33）と室外熱交換器（34）とを備えている。熱源ユニット（30）では、圧縮機（31）、加熱熱交換器（32）、膨張弁（33）、及び室外熱交換器（34）が冷媒配管を介して順に接続され、閉回路となる冷媒回路（11）が構成される。冷媒回路（11）には、冷媒として二酸化炭素が充填されている。
【００４３】
加熱熱交換器（32）は、一次側伝熱部（32a）と二次側伝熱部（32b）とを有している。一次側伝熱部（32a）は、圧縮機（31）と膨張弁（33）との間の高圧ラインに接続されている。二次側伝熱部（32b）は、給湯ユニット（40）側の第１循環流路（13）に接続されている。加熱熱交換器（32）では、一次側伝熱部（32a）を流れる冷媒と、二次側伝熱部（32b）を流れる水とが熱交換する。熱源ユニット（30）では、二次側伝熱部（32b）を流れる水と比較すると、一次側伝熱部（32a）を流れる冷媒の方が温度が高くなる。このため、加熱熱交換器（32）では、一次側伝熱部（32a）を流れる冷媒の熱が、二次側伝熱部（32b）を流れる水へ付与される。つまり、二次側伝熱部（32b）は、第１循環流路（13）を流れる水を加熱する加熱部を構成している。室外熱交換器（34）の近傍には、ファン（35）が設けられている。室外熱交換器（34）では、その内部を流れる冷媒と、ファン（35）が送風する室外空気とが熱交換する。
【００４４】
冷媒回路（11）では、圧縮機（31）が運転されて冷媒が循環することで、蒸気圧縮式の冷凍サイクルが行われる。即ち、冷媒回路（11）では、圧縮機（31）で圧縮された冷媒が、一次側伝熱部（32a）で放熱し、膨張弁（33）で減圧される。減圧された冷媒は、室外熱交換器（34）で蒸発し、圧縮機（31）に吸入される。この冷凍サイクルは、冷媒としての二酸化炭素を臨界圧力以上まで圧縮する、いわゆる超臨界サイクルである。
【００４５】
給湯ユニット（40）は、給湯タンク（41）と内部熱交換器（42）とを備えている。
【００４６】
給湯タンク（41）は、縦長の円筒状の密閉容器で構成されている。給湯タンク（41）には、円筒形の周壁部（41a）と、周壁部（41a）の上側を閉塞する頂壁部（41b）と、周壁部（41a）の下側を閉塞する底壁部（41c）とが形成されている。給湯タンク（41）には、第１循環流路（13）と第２循環流路（14）と供給流路（15）とが接続されている。また、給湯タンク（41）には、該給湯タンク（41）内へ水道水を適宜補給する、給水路（20）も接続されている。給湯タンク（41）及び供給流路（15）は、浴槽（U1）及びミストノズル（U2）に温水を供給するための給湯回路（12）を構成している。
【００４７】
第１循環流路（13）の始端は、給湯タンク（41）の周壁部（41a）の下部に接続され、給湯タンク（41）内の底壁部（41c）寄りに開口している。第１循環流路（13）の終端は、給湯タンク（41）の周壁部（41a）の上部に接続され、給湯タンク（41）内の頂壁部（41b）寄りに開口している。第１循環流路（13）には、第１ポンプ（43）が設けられている。第１ポンプ（43）は、第１循環流路（13）の始端側から終端側の方向（図１の矢印で示す方向）へ水を搬送する搬送機構である。第１循環流路（13）には、第１ポンプ（43）の下流側に二次側伝熱部（32b）が接続されている。
【００４８】
第２循環流路（14）の始端は、給湯タンク（41）の周壁部（41a）の下部に接続され、給湯タンク（41）内の底壁部（41c）寄りに開口している。第２循環流路（14）の終端は、給湯タンク（41）の頂壁部（41b）に接続され、給湯タンク（41）内の頂壁部（41b）寄りに開口している。第２循環流路（14）には、第２ポンプ（44）が設けられている。第２ポンプ（44）は、第２循環流路（14）の始端側から終端側の方向（図１の矢印で示す方向）へ水を搬送する搬送機構である。第２循環流路（14）には、第２ポンプ（44）の下流側に内部熱交換器（42）の第１伝熱管（42a）が接続されている。
【００４９】
内部熱交換器（42）は、第１伝熱管（42a）と第２伝熱管（42b）とを有している。第１伝熱管（42a）は、第２循環流路（14）に接続されている。第２伝熱管（42b）は、供給流路（15）の第３循環流路（16）に接続されている。
【００５０】
供給流路（15）は、主供給路（17）、第１分岐路（18）、第２分岐路（19）、及び第３循環流路（16）を含んでいる。
【００５１】
主供給路（17）の始端は給湯タンク（41）の頂壁部（41b）に接続され、給湯タンク（41）内の頂壁部（41b）寄りに開口している。主供給路（17）の終端側は、第１分岐路（18）と第２分岐路（19）とに分岐している。主供給路（17）には、第３ポンプ（45）が設けられている。第３ポンプ（45）は、主供給路（17）の始端側から終端側の方向（図１の矢印で示す方向）へ水を搬送する搬送機構である。
【００５２】
第１分岐路（18）の終端は、第３循環流路（16）を介して浴槽（U1）と連通している。つまり、第１分岐路（18）は、浴槽（U1）側へ温水を供給するための浴槽側供給路を構成している。第１分岐路（18）には、第１開閉弁（46）が設けられている。第２分岐路（19）の終端は、ミストノズル（U2）と接続している。つまり、第２分岐路（19）は、ミストノズル（U2）へ温水を供給するミストノズル側供給路を構成している。第２分岐路（19）には、第２開閉弁（47）が設けられている。
【００５３】
第３循環流路（16）は、浴槽（U1）内の水を循環させる浴槽循環流路を構成している。第３循環流路（16）は、供給循環路（16a）と返送循環路（16b）とを有している。供給循環路（16a）の流出端は、浴槽（U1）の内部における上方寄りに開口している。返送循環路（16b）の流入端は、浴槽（U1）の内部における下方寄りに開口している。供給循環路（16a）には、第４ポンプ（48）が設けられている。第４ポンプ（48）は、主供給路（17）側の水、又は返送循環路（16b）側の水を浴槽（U1）内へ供給する搬送機構である。返送循環路（16b）には、内部熱交換器（42）の第２伝熱管（42b）が接続され、該第２伝熱管（42b）の下流側に第３開閉弁（49）が設けられている。
【００５４】
内部熱交換器（42）では、第１伝熱管（42a）を流れる水と、第２伝熱管（42b）を流れる水とが熱交換する。給湯ユニット（40）では、返送循環路（16b）を流れる水と比較すると、第２循環流路（14）を流れる水の温度の方が高くなる。このため、内部熱交換器（42）では、第１伝熱管（42a）を流れる水の熱が、第２伝熱管（42b）を流れる水へ付与される。つまり、第２伝熱管（42b）は、第３循環流路（16）を流れる水を加熱する加熱部を構成している。
【００５５】
〈イオン水供給機構の詳細構造〉
図１及び図２に示すように、給湯システム（10）は、イオン水供給機構（50）を備えている。イオン水供給機構（50）は、イオン水生成器（60）と、イオン水路（63）と、噴霧機構（90）と、イオン水供給路（52）とを備えている。
【００５６】
イオン水生成器（60）は、電気分解によって酸性水とアルカリ水とを生成するとともに、水中での放電及び水中への超音波照射によって水酸ラジカル及び過酸化水素等の浄化成分を生成して上記酸性水及びアルカリ水へ付与する。イオン水生成器（60）は、貯水タンク（61）と、電極ユニット部（62）と、超音波発生部（104）とを備えている。
【００５７】
貯水タンク（61）は、密閉型の容器状に形成されている。貯水タンク（61）の上部には、主供給路（17）から分岐する温水路（21）が繋がっている。貯水タンク（61）の下部には、主供給路（17）における第３ポンプ（45）の下流側の部分へと連通するイオン水路（63）が繋がっている。上記温水路（21）には、第５ポンプ（51）が設けられている。第５ポンプ（51）は、主供給路（17）を流れる温水を貯水タンク（61）内へ供給する搬送機構である。
【００５８】
貯水タンク（61）内の空間は、イオン交換膜（61a）によって第１室（S1）と第２室（S2）とに区画されている。イオン交換膜（61a）は垂直方向に延びるように配置されている。詳しくは後述するが、貯水タンク（61）内で行われる電気分解により、第１室（S1）では酸性水が生成され、第２室（S2）ではアルカリ水が生成される。従って、第１室（S1）には酸性水が貯留され、第２室（S2）ではアルカリ水が貯留される。
【００５９】
電極ユニット部（62）は、電極対（64,65）と電源部（70）と絶縁ケーシング（71）とを備えている。
【００６０】
電極対（64,65）は、水中で放電を生起するためのものであり、且つ、水中で電気分解を行って酸性水及びアルカリ水を生成するためのものである。電極対は、電極Ａ（64）及び電極Ｂ（65）で構成されている。
【００６１】
電極Ａ（64）は板状に形成され、電源部（70）に接続されている。電極Ａ（64）は、耐腐食性が高い導電性の材料で構成され、例えばステンレス、銅等の導電性の金属材料で構成されている。電極Ａ（64）は、箱状に形成された絶縁ケーシング（71）の内部に収容された状態で、第１室（S1）に配置されている。
【００６２】
電極Ｂ（65）は板状に形成され、電源部（70）に接続されている。電極Ｂ（65）は、耐腐食性が高い導電性の材料で構成され、例えばステンレス、真鍮等の導電性の金属材料で構成されている。電極Ｂ（65）は、電極Ａ（64）に対向するように第２室（S2）に配置されている。電極Ａ（64）及び電極Ｂ（65）は、貯水タンク（61）の底部付近に配置される。
【００６３】
電源部（高電圧発生部）（70）は、電極対（64,65）に所定の電圧（例えば直流電圧）を印加する電源で構成されていてもよい。即ち、電源部（70）は、電極対（64,65）に対して瞬時的に高電圧を繰り返し印加するようなパルス電源ではなく、電極対（64,65）に対して常に数キロボルトの電圧を印加する電源であってもよい。電源部（70）の正極側に電極Ａ（64）が接続され、負極側に電極Ｂ（65）が接続されている。又、上記電源部（70）の負極側はアースと接続されている。この電源部（70）には、電極対（64,65）の放電電力を一定に制御する定電力制御部が設けられている（図示省略）。
【００６４】
絶縁ケーシング（71）は、例えばセラミックス等の絶縁材料で構成されている。絶縁ケーシング（71）は、一面（右面）が開放された容器状のケース本体（72）と、該ケース本体（72）の右側方の開放部を閉塞する板状の蓋部（73）とを有している。
【００６５】
ケース本体（72）は、角形筒状の筒壁部（側壁部）（72a）と、該筒壁部（72a）の左側開口部を閉塞する底部（72b）とを有している。電極Ａ（64）は、底部（72b）の内面に敷設されている。絶縁ケーシング（71）では、蓋部（73）と底部（72b）との間の上下方向の距離が、電極Ａ（64）の厚さよりも長くなっている。つまり、電極Ａ（64）と蓋部（73）との間には、所定の間隔が確保されている。これにより、絶縁ケーシング（71）の内部では、電極Ａ（64）とケース本体（72）と蓋部（73）との間に空間（S）が形成される。
【００６６】
図２及び図３に示すように、絶縁ケーシング（71）の蓋部（73）には、該蓋部（73）を厚さ方向に貫通する１つの開口（74）が形成されている。この開口（74）により、電極Ａ（64）と電極Ｂ（65）との間の電界の形成が許容されている。この開口（74）は、図２に示すように、貯水タンク（61）の底部寄りに配置される。蓋部（73）の開口（74）の内径は、０．０２ｍｍ以上０．５ｍｍ以下であることが好ましい。以上のような開口（74）は、電極対（64,65）の間の電流経路の電流密度を上昇させる電流密度集中部を構成する。
【００６７】
以上のように、絶縁ケーシング（71）は、電極対（64,65）のうちの一方の電極（電極Ａ（64））のみを内部に収容し、且つ電流密度集中部としての開口（74）を有する絶縁部材を構成している。加えて、絶縁ケーシング（71）の開口（74）内では、電流経路の電流密度が上昇することで、水がジュール熱によって気化して気泡（B）が形成される。つまり、絶縁ケーシング（71）の開口（74）は、該開口（74）に気相部としての気泡（B）を形成する気相形成部として機能する。
【００６８】
イオン水路（63）は、貯水タンク（61）に貯留される酸性水又はアルカリ水を、浴槽（U1）やミストノズル（U2）へ供給するための水路である。イオン水路（63）は、酸性水が流れる２本の酸性水路（63a,63c）と、アルカリ水が流れる２本のアルカリ水路（63b,63d）とを含んでいる。酸性水路は、第１酸性水路（63a）及び第２酸性水路（63c）を含み、アルカリ水路は、第１アルカリ水路（63b）及び第２アルカリ水路（63d）を含んでいる。第１酸性水路（63a）は、貯水タンク（61）の第１室（S1）と主供給路（17）とを繋いでいる。第２酸性水路（63c）は、第１室（S1）と第２分岐路（19）とを繋いでいる。第１アルカリ水路（63b）は、貯水タンク（61）の第２室（S2）と主供給路（17）とを繋いでいる。第２アルカリ水路（63d）は、第２室（S2）と第２分岐路（19）とを繋いでいる。
【００６９】
噴霧機構（90）は、第２分岐路（19）を通じて供給される水を噴霧するためのものである。この噴霧機構（90）の構成については、詳しくは後述する。
【００７０】
イオン水供給路（52）は、第１分岐路（18）及び供給循環路（16a）を含んでいる。イオン水供給路（52）は、イオン水生成器（60）で生成された酸性水を浴槽（U1）へ導く酸性水供給路としての機能と、イオン水生成器（60）で生成されたアルカリ水を浴槽（U1）へ導くアルカリ水供給路としての機能とを有する。
【００７１】
〈水路開閉機構の詳細構造〉
給湯システム（10）は、水路開閉機構（80）を備えている。この水路開閉機構（80）は、貯水タンク（61）内で生成される酸性水又はアルカリ水を、選択的に主供給路（17）や第２分岐路（19）へ供給するためのものである。水路開閉機構（80）は、第１酸性水路開閉弁（81a）、第１アルカリ水路開閉弁（81b）、第２酸性水路開閉弁（81c）、第２アルカリ水路開閉弁（81d）、及び水路制御部（83）を備えている。
【００７２】
各水路開閉弁（81a,81b,81c,81d）は、例えば電磁弁で構成されている。第１酸性水路開閉弁（81a）は第１酸性水路（63a）に設けられ、第１アルカリ水路開閉弁（81b）は第１アルカリ水路（63b）に設けられ、第２酸性水路開閉弁（81c）は第２酸性水路（63c）に設けられ、第２アルカリ水路開閉弁（81d）は第２アルカリ水路（63d）に設けられている。上記各水路開閉弁（81a,81b,81c,81d）は、水路制御部（83）から送信される信号に応じて、該各水路開閉弁（81a,81b,81c,81d）が設けられた各水路（63a,63b,63c,63d）を全開にする開状態と、各水路（63a,63b,63c,63d）を全閉にする閉状態とに切り替えられる。
【００７３】
水路制御部（83）は、外部からの信号に基づいて、各水路開閉弁（81a,81b,81c,81d）を開状態又は閉状態にするためのものである。水路制御部（83）は、各水路開閉弁（81a,81b,81c,81d）が開状態となる信号を各水路開閉弁（81a,81b,81c,81d）へ送信するように構成されている。また、水路制御部（83）は、各水路開閉弁（81a,81b,81c,81d）が閉状態となる信号を各水路開閉弁（81a,81b,81c,81d）へ送信するように構成されている。
【００７４】
〈噴霧機構の詳細構造〉
噴霧機構（90）は、噴霧部（91）と、エアポンプ（92）と、空気圧制御部（93）を備えている。
【００７５】
噴霧部（91）は、ミストノズル（U2）に設けられていて、供給される水を浴室へ噴霧するためのものである。噴霧部（91）の内部には水流路が形成されている。第２分岐路（19）からの水は、噴霧部（91）の水流路を通じた後、噴霧部（91）の先端に形成された開口穴から外部へ放出される。
【００７６】
エアポンプ（92）は、噴霧部（91）の水流路に空気を圧送するためのものである。エアポンプ（92）により水流路に送り込まれた空気は、空気圧により水流路内を流れる水を微細化する。このようにして微細化された水は、噴霧部（91）の開口穴から噴霧される。エアポンプ（92）は、圧送する空気の圧力を変更可能なように構成されている。
【００７７】
空気圧制御部（93）は、エアポンプ（92）により圧送される空気の圧力を変更するためのものである。空気圧制御部（93）は、第２酸性水路（63c）が開状態となった場合、エアポンプ（92）から圧送される空気圧を所定の圧力（P1）にする信号をエアポンプ（92）へ送信するように構成されている。また、空気圧制御部（93）は、第２アルカリ水路（63d）が開状態となった場合、エアポンプ（92）から圧送される空気圧を上記所定の圧力（P1）よりも高い圧力（P2）にする信号をエアポンプ（92）へ送信するように構成されている。
【００７８】
〈超音波発生部〉
超音波発生部（104）は、板状の圧電セラミックス（105）と、それらの間に圧電セラミックス（105）を挟むように設けられた一対の金属板（106a,106b）とで構成される。超音波発生部（104）を封入するケース（107）は密閉され、貯水タンク（61）の底部に配置されている。
【００７９】
金属板（106a,106b）には、増幅器（9）によって増幅された超音波波形発生部（8）の出力信号（交流電圧）が供給される。これにより、超音波発生部（104）は任意の周波数の超音波を貯水タンク（61）内の水中に照射する。ただし、過酸化水素を分解して水酸ラジカルを効率良く発生させるためには、超音波の周波数が、１００ｋＨｚ以上程度であれば特に好ましい。
【００８０】
なお、超音波発生部（104）は、貯水タンク（61）内の水中に超音波を照射できる範囲で任意の位置に設置されていてもよい。例えば、図４（ａ）に示すように、超音波発生部（104）が貯水タンク（61）の底部外側に設置されていてもよい。超音波発生部（104）が貯水タンク（61）の底部外側に設置されている場合、超音波は貯水タンク（61）の底部及び壁面を介して水中に伝達される。
【００８１】
また、超音波発生部（104）の構成は、図２に示す例に限られない。例えば、図４（ｂ）に示すように、金属ケース（107a）の上部と金属板（106）とで板状の圧電セラミックス（105）を挟み、両者の間に交流電圧を供給する構成であってもよい。
【００８２】
−給湯システムの運転動作−
給湯システム（10）の基本的な運転動作について図１を参照しながら説明する。この給湯システム（10）では、浴槽内へ温水を供給する「給湯運転」と、浴槽内の水を循環させながら加熱する「追い炊き運転」とが行われる。
【００８３】
〈給湯運転〉
給湯運転では、熱源ユニット（30）の圧縮機（31）が運転され、冷媒回路（11）で冷凍サイクルが行われる。給湯ユニット（40）では、第１ポンプ（43）及び第３ポンプ（45）が運転され、第２ポンプ（44）及び第４ポンプ（48）が停止状態となる。また、第１開閉弁（46）、第２開閉弁（47）が開放状態となり、第３開閉弁（49）は閉鎖状態となる。
【００８４】
第１ポンプ（43）が運転されると、給湯タンク（41）内の水が第１循環流路（13）へ流出する。この水は、加熱熱交換器（32）の二次側伝熱部（32b）を流れる。加熱熱交換器（32）では、一次側伝熱部（32a）を流れる冷媒の熱が、二次側伝熱部（32b）を流れる水へ放出され、この水が所定温度まで加熱される。加熱された水は、第１循環流路（13）を経由して給湯タンク（41）内に流入する。これにより、給湯タンク（41）内部には、所定温度の温水が蓄えられる。
【００８５】
第３ポンプ（45）が運転されると、給湯タンク（41）内の水（温水）は、主供給路（17）に流出し、第１分岐路（18）と第２分岐路（19）とに分流する。第１分岐路（18）を流れた水は、第３循環流路（16）の供給循環路（16a）に流入する。この水は、貯水タンク（61）を通過した後、浴槽（U1）内へ放出される。これにより、浴槽（U1）内に所定温度の温水が供給される。一方、第２分岐路（19）を流れた水は、ミストノズル（U2）側に供給される。
【００８６】
〈追い炊き運転〉
追い炊き運転では、熱源ユニット（30）の圧縮機（31）が運転され、冷媒回路（11）で冷凍サイクルが行われる。給湯ユニット（40）では、第１ポンプ（43）、第２ポンプ（44）、及び第４ポンプ（48）が運転される。また、第１開閉弁（46）が閉鎖状態となり、第２開閉弁（47）及び第３開閉弁（49）が開放状態となる。
【００８７】
第１ポンプ（43）が運転されると、給湯タンク（41）内の水が第１循環流路（13）を流れる。これにより、第１循環流路（13）の水は、加熱熱交換器（32）で加熱されて給湯タンク（41）へ返送される。
【００８８】
第２ポンプ（44）が運転されると、給湯タンク（41）内の水は、第２循環流路（14）へ流出する。この水は、内部熱交換器（42）の第１伝熱管（42a）を流れる。内部熱交換器（42）では、第１伝熱管（42a）を流れる水の熱が、第２伝熱管（42b）を流れる水へ放出される。第１伝熱管（42a）で放熱した水は、第２循環流路（14）を経由して給湯タンク（41）内に流入する。
【００８９】
第４ポンプ（48）が運転されると、浴槽（U1）の水は第３循環流路（16）の返送循環路（16b）へ吸い込まれる。返送循環路（16b）を流れた水は、内部熱交換器（42）で加熱された後、貯水タンク（61）を通過して浴槽（U1）へ供給される。これにより、浴槽（U1）内の水の温度が徐々に高くなっていく。
【００９０】
−イオン水生成器の運転動作−
本実施形態の給湯システム（10）では、イオン水生成器（60）が運転されることで、貯水タンク（61）内で酸性水及びアルカリ水が生成されるとともに、給湯回路（12）を流れる水の浄化がなされる。
【００９１】
第５ポンプ（51）が運転されると、給湯タンク（41）内の水は、温水路（21）を通じて貯水タンク（61）へ流入する。この水が所定量に達し、上記絶縁ケーシング（71）の内の空間（S）が浸水した状態（図２を参照）になると、電極ユニット部（62）が作動する。この作動により、上記電源部（70）から電極対（64,65）へ所定の直流電圧（例えば１ｋＶ）が印加され、電極対（64,65）の間に電界が形成される。上述したように、上記電極Ａ（64）の周囲は、絶縁ケーシング（71）で覆われている。このため、電極対（64,65）の間での漏れ電流が抑制されるとともに、上記絶縁ケーシング（71）における開口（74）内の電流経路の電流密度が上昇した状態となる。
【００９２】
上記絶縁ケーシング（71）における開口（74）内の電流密度が上昇すると、この開口（74）内のジュール熱が大きくなる。その結果、絶縁ケーシング（71）では、開口（74）の近傍において、水の気化が促進されて気泡（B）が形成される。この気泡（B）は、図４に示すように、開口（74）のほぼ全域を覆う状態となり、電極Ｂ（65）に導通する負極側の水と、正極側の電極Ａ（64）との間に気泡（B）が介在する。従って、この状態では、気泡（B）が、電極Ａ（64）と電極Ｂ（65）との間での水を介した導電を阻止する抵抗として機能する。これにより、電極Ａ（64）と電極Ｂ（65）との間の漏れ電流が抑制され、電極対（64,65）間では、所望とする電位差が保たれることになる。すると、気泡（B）内では、絶縁破壊に伴い放電が発生する。この放電により、電極Ｂ（65）に導通する水から、気泡（B）を介して、電極Ａ（64）に導通する水へ電子が移動する。このように、電子が電極Ｂ（65）から電極Ａ（64）へ移動するため、貯水タンク（61）内の水中で電気分解が行われる。
【００９３】
上記電極Ｂ（65）では、次式（１）に示すような反応が行われる。この反応により、第２室（S2）内で水酸化物イオン（ＯＨ−）が生成される。その結果、ＰＨ（水素イオン指数）が上昇し、第２室（S2）内でアルカリ水が生成される。
【００９４】
４Ｈ２Ｏ＋４ｅ−  →  ２Ｈ２＋４ＯＨ−      （１）
一方、上記気泡（B）における気液界面の近傍では、次式（２）に示すような反応が行われる。この反応により、第１室（S1）内で水素イオン（Ｈ＋）が生成される。その結果、ＰＨ（水素イオン指数）が減少し、第１室（S1）内で酸性水が生成される。
【００９５】
２Ｈ２Ｏ  →  Ｏ２＋４Ｈ＋＋４ｅ−              （２）
また、以上のように気泡（B）で放電が行われると、気泡（B）における気液界面の近傍（すなわち第１室（S1）内）では、水酸ラジカル等の活性種や過酸化水素等が生成される。さらに、超音波発生部（104）を作動させて、水中に超音波を照射する。これにより、放電により生成した過酸化水素を分解して、再度、水酸ラジカルに変換する。水酸ラジカル等の活性種や過酸化水素は、イオン交換膜（61a）の微細孔を通過して第２室（S2）にも拡散する。従って、第１室（S1）で形成される酸性水及び第２室（S2）で形成されるアルカリ水の双方に、上記活性種や過酸化水素が含まれることになる。
【００９６】
なお、水（Ｈ２Ｏ）及び過酸化水素（Ｈ２Ｏ２）等を含む水中に超音波を照射した場合、水（Ｈ２Ｏ）から直接に水酸ラジカルは生成されないが、過酸化水素（Ｈ２Ｏ２）は分解されて水酸ラジカルが生成される。このため、水中の過酸化水素の濃度がある程度高くなった後に、超音波照射を開始することが好ましい。逆に、放電のみを継続すると、水中の過酸化水素の濃度が高くなり過ぎる場合がある。従って、水中の過酸化水素の濃度をモニタすることにより、放電と超音波照射とを制御しながら運転することが好ましい。この好ましい制御方法を、後述の実施形態２において説明する。
【００９７】
水酸ラジカル等の活性種や過酸化水素は、放電に伴う熱によって貯水タンク（61）内を対流する。これにより、水中での活性種や過酸化水素の拡散が促される。しかも、放電が行われる放電場としての気泡（B）は、貯水タンク（61）の底部寄りに形成されるため、ジュール熱により高温となる気泡（B）付近の水は、貯水タンク（61）の底部付近から上昇する一方、貯水タンク（61）内の水のうち上側にある比較的低温の水は、下方へ移動する。すなわち、貯水タンク（61）内の水は、上下方向において比較的広範囲に亘って対流するため、水中の活性種や過酸化水素の拡散を更に促すことができる。また、気泡（B）で放電が行われると、この放電に伴ってこの気泡（B）でイオン風を生成し易くなる。よって、貯水タンク（61）内では、このイオン風を利用して、活性種や過酸化水素の拡散効果を更に向上できる。
【００９８】
また、貯水タンク（61）には、温水路（21）からの温水が貯留されている。これにより、貯水タンク（61）内に比較的温度の低い水が貯留されるような場合と比べて、上記開口（74）における水の温度が上昇しやすくなる。その結果、気泡（B）が発生しやすくなるため、水酸ラジカル等の活性種及び過酸化水素を効率的に生成することができる。
【００９９】
−水路開閉機構及び噴霧機構の運転動作−
水路開閉機構（80）を所定の状態に切り替えることにより、浴槽（U1）やミストノズル（U2）に、酸性水又はアルカリ水を供給することができる。
【０１００】
具体的には、浴槽（U1）及びミストノズル（U2）に酸性水を供給する場合、水路制御部（83）は、第１酸性水路（63a）を開状態にする信号を第１酸性水路開閉弁（81a）へ送信し、第２酸性水路（63c）を開状態にする信号を第２酸性水路開閉弁（81c）へ送信する。また、第１アルカリ水路（63b）を閉状態にする信号を第１アルカリ水路開閉弁（81b）へ送信し、第２アルカリ水路（63d）を閉状態にする信号を第２アルカリ水路開閉弁（81d）へ送信する。これにより、酸性水が第１分岐路（18）及び第２分岐路（19）へ供給される。この酸性水は、給湯システム（10）の給湯運転時に、浴槽（U1）やミストノズル（U2）へ供給される。従って、殺菌効果を有する酸性水で、浴槽（U1）、浴室の壁、人体の皮膚表面などを殺菌することができる。
【０１０１】
上述のように酸性水がミストノズル（U2）へ供給される場合、噴霧機構（90）の空気圧制御部（93）は、エアポンプ（92）から圧送される空気を所定の圧力（P1）にする信号をエアポンプ（92）に送信する。これにより、噴霧部（91）内の水流路を流れる水が上記エアポンプ（92）からの空気により微細化される。その結果、噴霧機構（90）から、微細化されたミスト状の酸性水が噴霧される。この酸性水の粒子径は、１０μｍ以上の大きさとなる。
【０１０２】
また、浴槽（U1）に酸性水を供給し且つミストノズルにアルカリ水を供給する場合、水路制御部（83）は、第１酸性水路（63a）を開状態にする信号を第１酸性水路開閉弁（81a）へ送信し、第２酸性水路（63c）を閉状態にする信号を第２酸性水路開閉弁（81c）へ送信する。また、第１アルカリ水路（63b）を閉状態にする信号を第１アルカリ水路開閉弁（81b）へ送信し、第２アルカリ水路（63d）を開状態にする信号を第２アルカリ水路開閉弁（81d）へ送信する。これにより、酸性水が浴槽（U1）へ供給される一方、アルカリ水がミストノズル（U2）へ供給される。従って、殺菌効果を有する酸性水を浴槽（U1）へ供給し、アルカリ水をミストノズルへ供給できる。
【０１０３】
上述のようにアルカリ水がミストノズル（U2）へ供給される場合、噴霧機構（90）の空気圧制御部（93）は、エアポンプ（92）から圧送される空気を、酸性水がミストノズル（U2）へ供給される際の圧力（P1）よりも高い圧力（P2）にする信号をエアポンプ（92）に送信する。これにより、噴霧部（91）には比較的高い圧力（P2）の空気が流れ込むため、アルカリ水は酸性水よりも細かく微細化される。その結果、噴霧機構（90）から噴霧されるアルカリ水の粒子径は、酸性水よりも小さくなる。この粒子径は、酸性水の粒子径よりも小さい１０μｍ未満の大きさとなる。
【０１０４】
上述のように、酸性水が噴霧機構（90）から噴霧される場合、酸性水はある程度の大きさの粒子径（１０μｍ以上）で噴霧されるため、浴室の壁や人体の皮膚表面に付着しやすくなる。酸性水は殺菌効果を有するため、浴室の壁や人体の皮膚表面が殺菌される。また、アルカリ水が噴霧機構（90）から噴霧される場合、アルカリ水は比較的小さい粒子径（１０μｍ未満）で噴霧されるため、このアルカリ水は、すぐには浴室の壁などに付着ぜず、浴室内を浮遊する。そうなると、アルカリ水は、呼吸の際に人体の体内へ吸引されやすくなる。アルカリ水は、飲用として体内へ取り込むと胃腸などを改善する効果を有するため、胃腸の改善がなされる。
【０１０５】
また、浴槽（U1）やミストノズル（U2）に供給される上記酸性水やアルカリ水は、給湯運転により比較的高温の温水となっている。水道水には、殺菌効果を有する塩素や次亜塩素酸が含まれているものの、これらの塩素や次亜塩素酸は、例えば４０℃以上の高温下では分解され易い。そうなると、十分に殺菌されていない水が浴槽（U1）やミストノズル（U2）へ供給されてしまう虞が生じる。
【０１０６】
これに対して、実施形態１では、浴槽（U1）やミストノズル（U2）へ供給される比較的温度の高い酸性水やアルカリ水には、水酸ラジカル等の活性種及び過酸化水素が含まれている。過酸化水素は、例えば４０℃以上の条件下で、約１時間経過したとしても、約４％程度の濃度しか分解されない。分解されずに残留する過酸化水素は、超音波照射により、過酸化水素よりも殺菌・浄化能力が高い水酸ラジカルに変換される。従って、実施形態１における給湯システム（10）では、浴槽（U1）やミストノズル（U2）へ供給される水を十分に殺菌・浄化することができる。
【０１０７】
また、実施形態１では、噴霧機構（90）に１つの噴霧部（91）を設け、噴霧部（91）に供給される水が酸性水かアルカリ水かによって噴霧される水の粒子径が切り替えられるため、ミストノズル（U2）に２つ以上の噴霧部を設ける必要がなくなる。従って、その分、噴霧機構（90）を簡素化できる。
【０１０８】
また、実施形態１では、貯水タンク（61）で貯留される温水中で放電が行われ、水酸ラジカル等の活性種及び過酸化水素が生成される。過酸化水素は、給湯回路（12）を通じて浴槽（U1）やミストノズル（U2）に供給される。過酸化水素は、高温条件下では菌に対する活性が高まるため、イオン水生成器（60）から浴槽（U1）やミストノズル（U2）へ通じる水路における温水の殺菌効果が向上する。なお、水酸ラジカルは、短時間で過酸化水素に変化するため、貯水タンク（61）の温水中に生成された水酸ラジカルは、貯水タンク（61）から給湯回路（12）を通じて浴槽（U1）やミストノズル（U2）に供給されるまでの間に、過酸化水素に変化する場合がある。
【０１０９】
なお、第１酸性水路開閉弁（81a）を閉状態とし且つ第１アルカリ水路開閉弁（81b）を開状態とすることにより、浴槽（U1）へアルカリ水を供給することもできる。これにより、洗浄効果を有するアルカリ水を浴槽（U1）へ供給できるため、アルカリ水を浴槽（U1）の洗浄用途として用いることができる。
【０１１０】
−実施形態１の効果−
実施形態１では、ミストノズル（U2）から噴霧される酸性水の粒子径を１０μｍ以上とする一方、噴霧部（91）から噴霧されるアルカリ水の粒子径を数μｍ程度とした。これにより、ミストノズル（U2）から噴霧される酸性水が浴室の壁や人体の皮膚表面に付着しやすくなるため、浴室の壁や人体の皮膚表面を効率的に殺菌できる。また、ミストノズル（U2）から噴霧されるアルカリ水が浴室内を浮遊するため、胃腸改善効果を有するアルカリ水を人体内に効率的に吸引できる。更に、浴槽（U2）にも酸性水とアルカリ水とを選択的に供給することができるので、殺菌効果を有する酸性水を浴槽（U2）へ供給して浴槽（U2）を殺菌したり、洗浄効果を有するアルカリ水を浴槽（U2）へ供給して浴槽（U2）を洗浄したりできる。
【０１１１】
また、放電により、水酸ラジカル等の活性種及び過酸化水素を生成する。過酸化水素は、次亜塩素酸と比較して、水温が上昇しても分解されにくい。具体的に、過酸化水素であれば、水温が約４０℃の条件下で約１時間放置されても、約４％程度しか濃度が低下しない。さらに、超音波照射により、過酸化水素を、過酸化水素よりも殺菌・浄化能力が高い水酸ラジカルに変換する。このため、酸性水及びアルカリ水には、水酸ラジカル等の活性種及び過酸化水素が含まれている。このため、上記実施形態１では、ミストノズル（U2）から噴霧される酸性水又はアルカリ水の温度が高くとも、これらの酸性水又はアルカリ水を十分に殺菌できる。
【０１１２】
また、実施形態１では、噴霧機構（90）に１つの噴霧部（91）を設け、噴霧部（91）に供給される水が酸性水かアルカリ水かによって噴霧される水の粒子径が切り替えられるため、噴霧機構（90）を小型化できる。
【０１１３】
〈実施形態１の変形例〉
上記実施形態１では、絶縁ケーシング（71）の蓋部（73）に１つの開口（74）が形成されている。しかしながら、例えば図６及び図７に示すように、絶縁ケーシング（71）の蓋部（73）に複数の開口（74）を形成してもよい。この変形例では、絶縁ケーシング（71）の蓋部（73）が、略正方形板状に形成され、この蓋部（73）に複数の開口（74）が等間隔を置きながら碁盤目状に配列されている。一方、電極Ａ（64）及び電極Ｂ（65）は、全ての開口（74）に跨るような正方形板状に形成されている。
【０１１４】
この変形例においても、各開口（74）が、電流密度集中部、及び気相形成部として機能する。これにより、電源部（70）から電極対（64,65）に直流電圧が印加されると、各開口（74）の電流密度が上昇し、各開口（74）で気泡（B）が形成される。その結果、各気泡（B）でそれぞれ放電が生起され、水酸ラジカル等の活性種や、過酸化水素が生成される。
【０１１５】
《発明の実施形態２》
実施形態２に係る給湯システム（10）は、上述した実施形態１と比べて、イオン水生成器（60）の構成が異なるものである。以下には、上記実施形態１と異なる点を主として説明する。
【０１１６】
図８に示すように、実施形態２に係るイオン水生成器（60）は、貯水タンク（61）と、電気分解を行って酸性水とアルカリ水とを生成するための電気分解ユニット部（85）と、水浄化ユニット（6）と、制御部（4）とを備えている。
【０１１７】
<電気分解ユニット部>
電気分解ユニット部（85）は、陽極（86）及び陰極（87）で構成された電極対（86,87）と、陽極（86）と陰極（87）との間に電圧を印加する電源部（88）とを備えている。陽極（86）は第１室（S1）内に配置される一方、陰極（87）は第２室（S2）内に配置される。電源部（88）により陽極（86）と陰極（87）との間に電圧が印加されると、貯水タンク（61）内で電気分解が起こり、第１室（S1）内では酸性水が、第２室（S2）内ではアルカリ水が、それぞれ生成される。
【０１１８】
<水浄化ユニット>
図９に示すように、水浄化ユニット（6）は、電極ユニット部（62）と、貯水タンク（61）の水中に超音波を照射する超音波発生部（104）とを有している。水浄化ユニット（6）は、第１室（S1）及び第２室（S2）のそれぞれに配置されている。なお、水浄化ユニット（6）は、第１室（S1）及び第２室（S2）のうち少なくとも一方に配置されていてもよい。
【０１１９】
−電極ユニット部−
図９に示すように、電極ユニット部（62）は、電極対（64,65）と、この電極対（64,65）に接続され、電圧を印加する高電圧発生部（電源部）（70）と、電極Ａ（64）を内部に収容する絶縁ケーシング（71）とを備えている。
【０１２０】
電極対（64,65）は、水中で放電を生起するためのものである。電極Ａ（64）は、絶縁ケーシング（71）の内部に配置されている。電極Ａ（64）は、板状に形成されている。電極Ａ（64）は、高電圧発生部（70）に接続されている。
【０１２１】
電極Ｂ（65）は、絶縁ケーシング（71）の外部に配置されている。この電極Ｂ（65）は、もう一方の電極Ａ（64）の上方に設けられている。電極Ｂ（65）は、板状に形成され、且つ上下に複数の貫通孔（66）を有するメッシュ形状ないしパンチングメタル形状に構成されている。電極Ｂ（65）は、電極Ａ（64）と略平行に配設されている。電極Ｂ（65）は、高電圧発生部（70）に接続されている。
【０１２２】
図８に図示された２つの水浄化ユニット（6）のうち、一方の水浄化ユニット（6）を構成する電極ユニット部（62）が第１室（S1）に配置され、他方の水浄化ユニット（6）を構成する電極ユニット部（62）が第２室（S2）に配置されている。つまり、第１室（S1）に配置された電極ユニット部（62）は、第１室（S1）内に貯留される酸性水中で放電を行う。一方、第２室（S2）に配置された電極ユニット部（S2）は、第２室（S2）内に貯留されるアルカリ水中で放電を行う。なお、第１室（S1）に配置される電極ユニット部（62）の電極対（64,65）間では電気分解が行われるため、電極Ａ（64）近傍では水素イオンが生成され、電極Ｂ（65）近傍では水酸化物イオンが生成される。しかし、これらの水素イオン及び水酸化物イオンは、第１室（S1）内で拡散して中和されるため、第１室（S1）における酸性水の生成にはほとんど寄与しない。同様に、第２室（S2）に配置される電極ユニット部（62）でも電気分解が行われて水素イオン及び水酸化物イオンが生成されるが、これらは第２室（S2）におけるアルカリ水の生成にほとんど寄与しない。
【０１２３】
−超音波発生部−
超音波発生部（104）の具体的な構成は、実施形態１に係るイオン水生成器（60）に設けた超音波発生部（104）と同様である。
【０１２４】
なお、実施形態２において、酸性水（又はアルカリ水）を連続して生成する場合は、超音波発生部（104）を電極対（64,65）よりも酸性水路（63a）（又はアルカリ水路（63b））側に配置すると良い。これにより、酸性水路（63a）（又はアルカリ水路（63b））側に向かって流れる酸性水（又はアルカリ水）に含まれる過酸化水素を、超音波照射により水酸ラジカルに効果的に変換することができる。また、実施形態２においては、水浄化ユニット（6）を貯水タンク（61）の底部に配置したが、底部寄りの壁面上に配置してもよい。また、水浄化ユニット（6）を構成する電極ユニット部（62）及び超音波発生部（104）のうち少なくとも電極ユニット部（62）を貯水タンク（61）の底部寄りの壁面上に配置してもよい。
【０１２５】
−制御部−
制御部(4)は、高電圧発生部(70)に接続された放電波形発生部（3）と、電極対（64,65）に印加する電圧のオン又はオフを制御する制御部（1）と、増幅器（9）を介して超音波発生部（104）に所定の周波数の交流電圧を供給する超音波波形発生部（8）と、超音波波形発生部（8）を介して超音波発生部（104）の動作を制御する制御部（5）と、貯水タンク（61）内の水中の過酸化水素濃度をモニタするセンサ（7）とを備えている。なお、図示しないが、センサ（7）のモニタ結果に基づいて制御部（1,5）を制御する中央演算装置（ＣＰＵ）が設けられていてもよい。制御部（1,5）による電極ユニット部（62）及び超音波発生部（104）の制御方法については、後に説明する。なお、後述のいわゆるフィードフォワード制御を行う場合、センサ（7）は必ずしも設けられなくてもよい。
【０１２６】
−運転動作−
図１０は、実施形態２に係るイオン水生成器（60）による運転動作の基本サイクルを示す図である。図１０に示すように、貯水タンク（61）内に溜められた水は、まず、電気分解ユニット部（85）によって電気分解されて、酸性水及びアルカリ水が生成される。生成された酸性水及びアルカリ水は、電極対（64,65）間に生起される放電によって浄化される。この際、放電によって酸性水及びアルカリ水中に水酸ラジカル等の活性種が生成し、有機物等の分解や殺菌などが行われる（図１０中のステップSt1、St2）。水酸ラジカルは短時間で過酸化水素に変化する（ステップSt3）。
【０１２７】
次に、超音波発生部（104）から水中へと超音波を伝搬させ、水中の過酸化水素を分解し、水酸ラジカルに変化させる（ステップSt4）。超音波照射により発生した水酸ラジカルは、再度、過酸化水素に変化する。ただし、除菌等、酸性水及びアルカリ水の浄化反応に使われた水酸ラジカルは水に変化するので、放電を停止して超音波照射のみを行った場合には、過酸化水素の濃度は低下して行くことになる。
【０１２８】
なお、上記の酸性水及びアルカリ水の生成は、１回ごとに貯水タンク（61）内の水を全て入れ替える、いわゆるバッチ処理によって行ってもよい。あるいは、温水路（21）から貯水タンク（61）への注水と貯水タンク（61）から酸性水路（63a）（又はアルカリ水路（63b）への酸性水（又はアルカリ水）の流出を連続的に行う連続処理によって行ってもよい。
【０１２９】
以下、放電と超音波処理とを組み合わせたイオン水生成器（60）の運転制御の具体例について説明する。図１１（ａ）は、水中の過酸化水素の濃度を用いてフィードバック制御を行う場合の運転制御の一例を示すタイムチャートである。以下の方法では、水中の過酸化水素はセンサ（7）によって検知される。
【０１３０】
まず、第５ポンプ（51）が運転されると、給湯タンク（41）内の水は、温水路（21）を通じて貯水タンク（61）へ流入する。この水が所定量に達し、電気分解ユニット部（85）及び上記絶縁ケーシング（71）の内の空間（S）が浸水した状態になると、電気分解ユニット部（85）が作動するとともに、電極ユニット部（62）が作動する。
【０１３１】
電気分解ユニット部（85）の作動により、電源部（88）から陽極（86）と陰極（87）との間に電圧が印加されると、貯水タンク（61）内で電気分解が起こり、第１室（S1）内では酸性水が、第２室（S2）内ではアルカリ水が、それぞれ生成される。
【０１３２】
電極ユニット部（62）の作動により、上記電源部（70）から電極対（64,65）へ所定の電圧（例えば１ｋＶ）が印加される（制御部（1）により、電極対(64,65)間に所定の電圧が印加される）と、上記絶縁ケーシング（71）における開口（74）内の電流経路の電流密度が上昇する。
【０１３３】
上記絶縁ケーシング（71）における開口（74）内の電流密度が上昇すると、この開口（74）内のジュール熱が大きくなる。その結果、絶縁ケーシング（71）では、開口（74）の近傍において、水の気化が促進されて気泡が形成される。この気泡は、開口（74）のほぼ全域を覆う状態となり、この状態では、気泡が、電極Ａ（64）と電極Ｂ（65）との間での水を介した導電を阻止する抵抗として機能する。これにより、電極Ａ（64）と電極Ｂ（65）との間の漏れ電流が抑制され、電極対（64,65）間では、所望とする電位差が保たれることになる。すると、気泡内では、絶縁破壊に伴い放電が発生する。気泡で放電が行われると、気泡における気液界面の近傍では、水酸ラジカル等の活性種や過酸化水素等が生成される。なお、この段階では、超音波発生部（104）はオフ状態にしておく。これにより、水（酸性水及びアルカリ水）が浄化されるとともに、水中の過酸化水素の濃度が上昇する。
【０１３４】
次いで、水中の過酸化水素濃度があらかじめ設定された下限値を超えた場合、制御部（1）は電極対（64,65）への電圧供給を継続させ、制御部(5)は、超音波発生部（104）をオン状態にして水中に超音波を照射させる。これにより、放電により生成された水酸ラジカルと、過酸化水素から生成された水酸ラジカルとによって水が浄化される。放電によって生成される過酸化水素の量は超音波によって分解される過酸化水素の量よりも多いので、この期間中も水中の過酸化水素の濃度は上昇する。
【０１３５】
次に、水中の過酸化水素濃度があらかじめ設定された上限値を超えた場合、制御部（1）は電極対（64,65）への電圧供給を停止し、放電を停止させる。制御部（5）は、引き続き超音波発生部（104）をオン状態にして水中に超音波を照射させる。これにより、過酸化水素から生成された水酸ラジカルによって水が浄化される。この期間中、超音波によって過酸化水素が分解されるので、水中の過酸化水素の濃度は減少する。
【０１３６】
次いで、水中の過酸化水素濃度が上述の下限値を下回った時点で、制御部（1）は電極対（64,65）への電圧供給を再開する。これにより、水中の過酸化水素の濃度は再び上昇する。これ以後、同様に超音波照射のみを行う期間と超音波照射と放電とを組み合わせる期間とを繰り返すことで、水中の過酸化水素濃度を下限値以上、且つ上限値以下の範囲に制御しつつ、水を浄化する。
【０１３７】
−実施形態２の効果−
実施形態２に係るイオン水生成器（60）では、電気分解ユニット部（85）によって、第１室（S1）内で酸性水が生成され、第２室（S2）内でアルカリ水が生成される。そして、第１室（S1）内に設けられた電極ユニット部（62）によって第１室（S1）内で水酸ラジカル等の活性種及び過酸化水素が生成され、第１室（S1）内に設けられた超音波発生部（104）によって水酸ラジカルが生成される。同様に、第２室（S2）内に設けられた電極ユニット部（62）によって第２室（S2）内で水酸ラジカル等の活性種及び過酸化水素が生成され、第２室（S2）内に設けられた超音波発生部（104）によって水酸ラジカルが生成される。水酸ラジカル等の活性種及び過酸化水素によって、浴槽（U1）やミストノズル（U2）に供給される温水が十分に殺菌・浄化される。
【０１３８】
さらに、実施形態２の制御方法によれば、制御部（1）は、運転動作の開始後に水中の過酸化水素濃度が上限値に達するまでは放電を生起させて水酸ラジカルを発生させ、水を浄化することができる。また、制御部（5）は、水中の過酸化水素濃度が所定の下限値を超える期間中に超音波発生部（104）をオン状態にする、言い換えれば、過酸化水素濃度が所定の下限値を下回る期間中には超音波発生部（104）をオフ状態にする。つまり、水中に十分な過酸化水素が存在する場合に超音波によって水酸ラジカルを発生させるので、水を効果的に浄化することができる。さらに、十分な濃度の過酸化水素の存在下で超音波を継続的に照射することで、継続的に水酸ラジカルを生成することができるので、強い浄化能力を所定の期間中維持することができる。
【０１３９】
さらに、上述の方法によれば、貯水タンク（61）からイオン水路（63）へと供給される水中の過酸化水素の濃度を上限値以下に抑えることができるので、過酸化水素を除去するための工程を容易にすることができる。
【０１４０】
実施形態２に係るイオン水生成器（60）によれば、上述のように、水中での放電と、水中への超音波照射とを組み合わせることで、水中の過酸化水素濃度を上昇させずに浄化能力の向上を図ることが可能になる。
【０１４１】
また、図９では、電極対（64,65）に印加する電圧のオン又はオフを制御する制御部（1）と、超音波発生部（104）の動作を制御する制御部（5）とを別個に設けたが、１つの制御部で電極対（64,65）に印加する電圧のオン又はオフと超音波発生部（104）の動作とを制御することもできる。
【０１４２】
なお、実施形態２に係るイオン水生成器（60）では、放電及び超音波照射によって生じる水酸ラジカルによって、水の浄化処理と同時に貯水タンク（61）内に繁殖する細菌等を効果的に殺菌することもできる。
【０１４３】
<実施形態２の変形例１>
以下、実施形態２の変形例１に係るイオン水生成器の運転動作について説明する。
【０１４４】
図１１（ｂ）は、過酸化水素の濃度変化の測定値を用いてフィードフォワード制御を行う場合の運転制御の一例を示すタイムチャートである。
【０１４５】
フィードフォワード制御が行われるイオン水生成器には、必ずしもセンサ（7）が設けられていなくてもよい。ただし、放電のみを行った場合に貯水タンク（61）内の水中の過酸化水素濃度が０から下限値に達するまでに要する時間Ｔ１、放電と超音波照射とを同時に行った場合に水中の過酸化水素濃度が下限値から上限値になるまでに要する時間Ｔ２、超音波照射のみを行った場合に上限値から下限値に達するのに要する時間Ｔ３を、それぞれあらかじめ測定しておき、それらの測定データを制御部（1,5）内部又は外部に設けられたメモリ（図示せず）に記憶させておく。制御部（1,5）は測定データに基づいて以下の制御を行う。制御部（1,5）の内部又は外部には、時間をカウントするタイマを設けておく。
【０１４６】
本変形例に係る制御方法において、まず制御部（1）は、電極対(64,65)間に所定の電圧を印加させ、放電を生起させる。この際、超音波発生部（104）はオフ状態にしておく。これにより、水が浄化されるとともに、水中の過酸化水素の濃度が上昇する。
【０１４７】
次いで、運転開始から時間Ｔ１が経過した時点で、制御部（1）は電極対（64,65）への電圧供給を継続させ、制御部(5)は、超音波発生部（104）をオン状態にして水中に超音波を照射させる。これにより、放電により生成された水酸ラジカルと、過酸化水素から生成された水酸ラジカルとによって水が浄化される。この期間中も水中の過酸化水素の濃度は上昇する。
【０１４８】
次に、時間Ｔ２が経過した時点で、制御部（1）は電極対（64,65）への電圧供給を停止し、放電を停止させる。制御部（5）は、引き続き超音波発生部（104）をオン状態にして水中に超音波を照射させる。これにより、過酸化水素から生成された水酸ラジカルによって水が浄化される。この期間中、水中の過酸化水素の濃度は減少する。
【０１４９】
次いで、さらに時間Ｔ３が経過した時点で、制御部（1）は電極対（64,65）への電圧供給を再開し、この状態を時間Ｔ２の間継続する。これにより、水中の過酸化水素の濃度は再び上昇する。これ以後、同様に超音波照射のみを行う期間（時間Ｔ３）と超音波照射と放電とを組み合わせる期間（時間Ｔ２）とを繰り返すことで、水中の過酸化水素濃度を下限値以上且つ上限値以下の範囲に制御しつつ、水を浄化する。
【０１５０】
以上の制御方法によっても水中の過酸化水素の濃度を下限値以上、且つ上限値以下の範囲に制御しつつ、水を浄化することができる。なお、これは運転動作の一変形例であって、他の方法によっても水の浄化を行うことができる。
【０１５１】
《発明の実施形態３》
図１２は、本発明の実施形態３に係るイオン水生成器を構成する水浄化ユニット（6）を示す断面図である。図１２では、実施形態２に係る水浄化ユニット（6）と同様の構成については図９と同じ符号を付している。また、放電波形発生部（3）、制御部（1,5）、増幅器（9）及びセンサ（7）は図１２では図示を省略しているが、実際には本実施形態に係るイオン水生成器に設けられている。以下では、主に実施形態２に係る水浄化ユニット（6）と異なる点について説明する。
【０１５２】
本実施形態に係る水浄化ユニット（6）は、貯水タンク（61）内に配置された電極対（64x,65x）と、電極対（64x,65x）に接続された高電圧発生部（電源部）（70a）と、貯水タンク（61）の底部に設置された超音波発生部（104）とを備えている。
【０１５３】
電極（64x）は絶縁ケーシング（71a）の内部に収納され、電極（65x）は絶縁ケーシング（71b）の内部に収納されている。電極（64x）及び電極（65x）は、それぞれ板状に形成されている。また、電極（64x）及び電極（65x）は耐腐食性が高い導電性の金属材料で構成されている。高電圧発生部（70a）は、数キロボルト程度の電圧を電極対（64x,65x）に供給する。
【０１５４】
絶縁ケーシング（71a,71b）は、例えばセラミックス等の絶縁材料で構成されており、図２に示す絶縁ケーシング（71）と同様の構成を有している。
【０１５５】
すなわち、絶縁ケーシング（71a）は、一面（図１２では右側の面）が開放された容器状のケース本体（180a）と、該ケース本体（180a）の開放部を閉塞する板状の蓋部（73a）とを有している。また、絶縁ケーシング（71b）は、一面（図１２では左側の面）が開放された容器状のケース本体（180b）と、該ケース本体（180b）の開放部を閉塞する板状の蓋部（73b）とを有している。
【０１５６】
絶縁ケーシング（71a）の蓋部（73a）には、該蓋部（73a）を厚さ方向に貫通する１つの開口（74a）が形成されている。絶縁ケーシング（71b）の蓋部（73b）にも、該蓋部（73b）を厚さ方向に貫通する１つの開口（74b）が形成されている。これらの開口（74a,74b）により、電極（64x）と電極（65x）との間の電界の形成が許容されている。開口（74a,74b）の内径は、０．０２ｍｍ以上０．５ｍｍ以下であることが好ましい。以上のような開口（74a,74b）は、電極対（64x,65x）の間の電流経路の電流密度を上昇させる電流密度集中部を構成する。
【０１５７】
絶縁ケーシング（71a,71b）は、貯水タンク（61）内に、蓋部（73a,73b）同士が対向するように設置されている。言い換えれば、電極（64x）と電極（65x）とは互いに対向するよう配置されている。
【０１５８】
絶縁ケーシング（71a,71b）の開口（74a,74b）内では、電流経路の電流密度が上昇することで、水がジュール熱によって気化して気泡が形成される。つまり、絶縁ケーシング（71a,71b）の開口（74a,74b）は、該開口（74a,74b）に気相部としての気泡を形成する気相形成部として機能する。この構成により、電圧が電極対（64x,65x）に供給された場合に電極対（64x,65x）間の気泡内に放電を生起させることができる。
【０１５９】
なお、超音波発生部（104）の具体的な構成は、実施形態１に係るイオン水生成器（60）に設けた超音波発生部（104）と同様である。
【０１６０】
−実施形態３の効果−
本実施形態に係るイオン水生成器を、図１１（ａ）又は（ｂ）に示す制御方法で運転することにより、水中の過酸化水素の濃度を所定の範囲内に保持しつつ、貯水タンク（61）内の水を効果的に浄化することができる。
【０１６１】
《発明の実施形態４》
図１３は、本発明の実施形態４に係るイオン水生成器を構成する水浄化ユニット（6）を示す断面図である。図１３では、実施形態２に係る水浄化ユニット（6）と同様の構成については図９と同じ符号を付している。また、放電波形発生部（3）、制御部（1,5）、増幅器（9）及びセンサ（7）は図１３では図示を省略しているが、実際には本実施形態に係るイオン水生成器に設けられている。以下では、主に実施形態２に係る水浄化ユニット（6）と異なる点について説明する。
【０１６２】
本実施形態に係る水浄化ユニット（6）は、貯水タンク（61）内に配置された電極対（64,65）と、電極対（64,65）に接続された高電圧発生部（電源部）（70b）と、貯水タンク（61）の底部に設置された超音波発生部（104）とを備えている。
【０１６３】
本実施形態に係る水浄化ユニット（6）においては、電極Ａ（64）及び電極Ｂ（65）がそれぞれ高電圧発生部（70b）の正極側及び負極側にそれぞれ接続され、高電圧発生部（70b）から電極対（64,65）に高電圧のパルス電圧が供給される。
【０１６４】
また、電極Ａ（64）を囲む絶縁ケーシング(71)は設けられない。電極Ａ（64）及び電極Ｂ（65）は共に板状に形成され、貯水タンク（61）内に、互いに対向するように設置される。
【０１６５】
さらに、水浄化ユニット（6）には、例えば貯水タンク（61）の底部など、少なくとも電極対（64,65）の間であって、電極対（64,65）よりも低い位置に設けられたノズル（吐出手段）（119）と、ノズル（119）に空気等の気体を送るエアポンプ（送出手段）（99）とが設けられている。エアポンプ（99）によって貯水タンク（61）内の気体は、ノズル（119）を介して循環される。ただし、エアポンプ（99）によって貯水タンク（61）内に外部から気体を供給してもよい。
【０１６６】
超音波発生部（104）の具体的な構成は、実施形態１に係るイオン水生成器（60）に設けた超音波発生部（104）と同様である。超音波発生部（104）は、貯水タンク（61）の底部に設置されていてもよいが、貯水タンク（61）内の水中に超音波を照射できる限りにおいて任意の位置に設置可能である。
【０１６７】
少なくとも放電処理を行う期間中、ノズル（119）から水中へと泡が吐出される。水中に泡が存在する状態で電極対（64,65）にパルス電圧を供給することにより、泡の内部で放電が生起され、水酸ラジカルが生成する。
【０１６８】
本実施形態に係るイオン水生成器では、実施形態２に係るイオン水生成器（60）と基本的に同じ制御方法、すなわち図１１（ａ）又は（ｂ）に示す制御方法で、放電と超音波照射とを組み合わせた水（酸性水及びアルカリ水）の浄化が行われる。ただし、図１１（ａ）及び（ｂ）に示す放電処理の期間中は、高電圧発生部（70b）から電極対（64,65）へとパルス電圧が間欠的に供給され、電極対（64,65）間に間欠的に放電が生起される。
【０１６９】
−実施形態４の効果−
以上の構成及び方法によれば、電極対（64,65）間にパルス放電を発生させる場合でも効率良く水酸ラジカルを発生させることができるので、超音波照射と組み合わせることで、過酸化水素濃度を上昇させずに、高い浄化能力を発揮することができる。
【０１７０】
《発明の実施形態５》
図１４は、本発明の実施形態５に係るイオン水生成器を構成する水浄化ユニット（6）を示す断面図である。図１４では、実施形態２及び実施形態３に係る水浄化ユニット（6）と同様の構成については図９及び図１２と同じ符号を付している。また、放電波形発生部（3）、制御部（1,5）、増幅器（9）及びセンサ（7）は図１４では図示を省略しているが、実際には本実施形態に係るイオン水生成器に設けられている。以下では、主に実施形態３に係るイオン水生成器と異なる点について説明する。
【０１７１】
本実施形態に係る水浄化ユニット（6）は、貯水タンク（61）内に配置された電極対（64y,65y）と、電極対（64y,65y）に接続された高電圧発生部（電源部）（70c）と、貯水タンク（61）の底部に設置された超音波発生部（104）とを備えている。
【０１７２】
電極（64y）と電極（65y）とは、それぞれ貯水タンク（61）内に、互いに対向するように設置されている。
【０１７３】
電極（64y）は、少なくとも１つの導電部（164）と、導電部（164）を囲む絶縁部（165）とを有している。
【０１７４】
電極（65y）は、少なくとも１つの導電部（166）と、導電部（166）を囲む絶縁部（167）とを有している。
【０１７５】
以上のように、電極（64y）における導電部（164）の露出面、及び電極（65y）における導電部（166）の露出面の面積は小さいので、電圧を電極対（64y,65y）に供給した場合には導電部（164,166）の表面で電流密度の集中部が形成される。そのため、導電部（164,166）の表面では水がジュール熱によって気化して気泡が形成される。この泡によって導電部（164,166）の露出面が覆われた状態で高電圧発生部（70c）からの電圧供給を継続することにより、泡の内部で放電が生起される。
【０１７６】
なお、超音波発生部（104）の具体的な構成は、実施形態１に係るイオン水生成器（60）に設けた超音波発生部（104）と同様である。
【０１７７】
−実施形態５の効果−
本実施形態に係るイオン水生成器を、図１１（ａ）又は（ｂ）に示す制御方法で運転することにより、水中の過酸化水素の濃度を所定の範囲内に保持しつつ、貯水タンク（61）内の水を効果的に浄化することができる。
【０１７８】
以上の構成によっても、電極対（64y,65y）間での放電と、超音波照射と組み合わせることで、水中の過酸化水素濃度を上昇させずに、高い浄化能力を発揮することができる。
【０１７９】
〈実施形態２の変形例２〉
実施形態２の変形例２は、上記実施形態２と、電極ユニット部の構成が異なるものである。以下には、上記実施形態２と異なる点を主として説明する。
【０１８０】
図１５に示すように、実施形態２の変形例２における電極ユニット部（62）は、貯水タンク（61）の外側から内部に向かって挿入されて固定される、いわゆるフランジユニット式に構成されている。また、電極ユニット部（62）は、電極Ａ（64）と電極Ｂ（65）と絶縁ケーシング（71）とが一体的に組立てられている。この電極ユニット部（62）は、図１５に示すように、貯水タンク（61）における第１室（S1）側の底部と、第２室（S2）側の底部とに取り付けられている。なお、図１６では、放電波形発生部（3）、制御部（1）及びセンサ（7）は図示を省略しているが、実際には本変形例に係るイオン水生成器に設けられている。
【０１８１】
絶縁ケーシング（71）は、大略の外形が円筒状に形成されている。絶縁ケーシング（71）は、ケース本体（72）と蓋部（73）とを有している。
【０１８２】
ケース本体（72）は、ガラス質又は樹脂製の絶縁材料で構成されている。ケース本体（72）は、円筒状の基部（76）と、該基部（76）から貯水タンク（61）側に向かって突出する筒状壁部（77）と、該筒状壁部（77）の外縁部から更に貯水タンク（61）側に向かって突出する環状凸部（78）とを有している。また、ケース本体（72）には、環状凸部（78）の先端側に先端筒部（79）が一体に形成されている。基部（76）の軸心部には、円柱状の挿入口（76a）が軸方向に延びて貫通形成されている。筒状壁部（77）の内側には、挿入口（76a）と同軸となり、且つ挿入口（76a）よりも大径となる円柱状の空間（S）が形成されている。
【０１８３】
蓋部（73）は、略円板状に形成されて環状凸部（78）の内側に嵌合している。蓋部（73）は、セラミックス材料で構成されている。蓋部（73）の軸心には、実施形態１と同様、蓋部（73）を上下に貫通する円形状の１つの開口（74）が形成されている。
【０１８４】
電極Ａ（64）は、軸直角断面が円形状となる縦長の棒状の電極で構成されている。電極Ａ（64）は、基部（76）の挿入口（76a）に嵌合している。これにより、電極Ａ（64）は、絶縁ケーシング（71）の内部に収容されている。実施形態２の変形例２では、電極Ａ（64）のうち貯水タンク（61）とは反対側の端部が、貯水タンク（61）の外部に露出される状態となる。このため、貯水タンク（61）の外部に配置される電源部（70）と、電極Ａ（64）とを電気配線によって容易に接続することができる。
【０１８５】
電極Ａ（64）のうち貯水タンク（61）側の端部（64a）は、絶縁ケーシング（71）の内部の空間（S）に臨んでいる。なお、図１５に示す例では、電極Ａ（64）の端部（64a）が、挿入口（76a）の開口面よりも上側（貯水タンク（61）側）に突出しているが、この端部（64a）の先端面を挿入口（76a）の開口面と略面一としてもよいし、端部（64a）を挿入口（76a）の開口面よりも下側に陥没させてもよい。また、電極Ａ（64）は、実施形態１と同様、開口（74）を有する蓋部（73）との間に所定の間隔が確保されている。
【０１８６】
電極Ｂ（65）は、円筒状の電極本体（65a）と、該電極本体（65a）から径方向外方へ突出する鍔部（65b）とを有している。電極本体（65a）は、絶縁ケーシング（71）のケース本体（72）に外嵌している。鍔部（65b）は、貯水タンク（61）の壁部に固定されて電極ユニット部（62）を保持する固定部を構成している。電極ユニット部（62）が貯水タンク（61）に固定された状態では、電極Ｂ（65）の電極本体（65a）の一部が浸水された状態となる。
【０１８７】
電極Ｂ（65）は、電極本体（65a）よりも小径の内側筒部（65c）と、該内側筒部（65c）と電極本体（65a）との間に亘って形成される連接部（65d）とを有している。内側筒部（65c）及び連接部（65d）は、貯水タンク（61）内の水中に浸漬している。内側筒部（65c）は、その内部に円柱空間（67）を形成している。内側筒部（65c）の軸方向の一端は、蓋部（73）と当接して該蓋部（73）を保持する保持部を構成している。また、電極本体（65a）と内側筒部（65c）と連接部（65d）の間には、ケース本体（72）の先端筒部（79）が内嵌している。内側筒部（65c）の軸方向の他端側には、円柱空間（67）を覆うようにメッシュ状の漏電防止材（68）が設けられている。この漏電防止材（68）は、電極Ｂ（65）と接触することで、実質的にアースされている。これにより、漏電防止材（68）は、貯水タンク（61）の内部の空間（水中）のうち、円柱空間（67）の内側から外側への漏電を防止している。
【０１８８】
電極Ｂ（65）は、電極本体（65a）の一部が貯水タンク（61）の外部に露出される状態となる。このため、電源部（70）と電極Ｂ（65）とを電気配線によって容易に接続することができる。
【０１８９】
−イオン水生成器の運転動作−
実施形態２の変形例２の給湯システム（10）においても、イオン水生成器（60）が運転されることで、給湯回路（12）を流れる水の浄化がなされる。
【０１９０】
イオン水生成器（60）の運転の開始時には、図１５に示すように、２つの電極ユニット部（62）は、ともに絶縁ケーシング（71）の内の空間（S）が浸水した状態となっている。電源部（70）から電極対（64,65）に所定の直流電圧（例えば１ｋＶ）が印加されると、開口（74）の内部の電流密度が上昇していく。
【０１９１】
図１５に示す状態から、電極対（64,65）へ更に直流電圧が継続して印加されると、図１７に示すように、開口（74）内の水が気化されて気泡（B）が形成される。この状態では、気泡（B）が開口（74）のほぼ全域を覆う状態となり、円柱空間（67）内の負極側の水と、電極Ａ（64）との間に気泡（B）による抵抗が付与される。これにより、電極Ａ（64）と電極Ｂ（65）との間の電位差が保たれ、気泡（B）で放電が発生する。その結果、第１室（S1）に設けられた電極ユニット部（62）は、第１室（S1）内に貯留される酸性水中で水酸ラジカルや過酸化水素を生成し、第２室（S2）に設けられた電極ユニット部（62）は、第２室（S2）内に貯留されるアルカリ水中で水酸ラジカルや過酸化水素を生成する。さらに、超音波発生部（104）を作動させて、水中に超音波を照射する。これにより、放電により生成した水酸ラジカルが変化して生成される過酸化水素を分解して、再度、水酸ラジカルに変換する。水酸ラジカル及び過酸化水素等の成分が水の浄化に利用される。
【０１９２】
なお、上記実施形態２の変形例２において、円板状の蓋部（73）の軸心に１つの開口（74）を形成しているが、この蓋部（73）に複数の開口（74）を形成してもよい。図１８に示す例では、蓋部（73）の軸心を中心とする仮想ピッチ円上に、５つの開口（74）が等間隔置きに配列されている。このように蓋部（73）に複数の開口（74）を形成することで、各開口（74）の近傍でそれぞれ放電を生起させることができる。
【０１９３】
《その他の実施形態》
上述した実施形態においては、以下のような他の構成とすることもできる。
【０１９４】
〈噴霧機構の構成〉
上記各実施形態では、噴霧機構（90）が１つの噴霧部（91）を備えるものとしたが、この限りでなく、例えば図１９に示すように、噴霧機構（95）が２つの噴霧部（96a,96b）を備えるものとしてもよい。具体的には、噴霧機構（95）は、酸性水を噴霧する酸性水噴霧部（96a）と、アルカリ水を噴霧するアルカリ水噴霧部（96b）とを備えている。酸性水噴霧部（96a）は、酸性水を１０μｍ以上の粒子径で噴霧するように構成され、アルカリ水噴霧部（96b）は、アルカリ水を１０μｍ未満の粒子径で噴霧するように構成されている。具体的には、酸性水噴霧部（96a）の噴霧口の口径を、酸性水を１０μｍ以上の粒子径で噴霧できるような所定の口径（D1）に設定し、アルカリ水噴霧部（96b）の噴霧口の口径を、アルカリ水を１０μｍ未満の粒子径で噴霧できるような、上記所定の口径（D1）よりも小さな口径（D2）に設定すればよい。他にも、酸性水噴霧部（96a）に所定の圧力（P1）の空気を圧送する第１エアポンプと、アルカリ水噴霧部（96b）に上記所定の空気圧（P1）よりも低い圧力（P2）の空気を圧送する第２エアポンプとを設けてもよい。そして、酸性水噴霧部（96a）には、第２酸性水路（63c）が繋がり、アルカリ水噴霧部（96b）には、第２アルカリ水路（63d）が繋がっている。このような構成により、上記各実施形態におけるエアポンプ（92）及び空気圧制御部（93）が不要になる。従って、その分、噴霧機構（95）の構成を容易にすることができる。
【０１９５】
〈給湯システムの構成〉
上記実施形態の給湯システム（10）を図２０に示すような、他の方式としてもよい。
【０１９６】
具体的に、図２０に示す例の給湯システム（10）は、加熱熱交換器（32）と第１ポンプ（43）とが、熱源ユニット（30）や給湯ユニット（40）と異なるユニット（ハイドロボックス（30a））に収容されている。また、この例では、給湯タンク（41）の内部に、コイル型熱交換器（13a）が収容されている。コイル型熱交換器（13a）は、給湯タンク（41）の底壁部（41c）寄りに配設されている。コイル型熱交換器（13a）では、熱媒体としての水が流れる伝熱管が、給湯タンク（41）の周壁部（41a）に沿うように螺旋状に形成されている。コイル型熱交換器（13a）は、一端が第１循環流路（13）の始端に接続し、他端が第１循環流路（13）の終端に接続している。
【０１９７】
図１３に示す給湯システム（10）では、加熱熱交換器（32）で加熱された水が、コイル型熱交換器（13a）を流れる。これにより、コイル型熱交換器（13a）の伝熱管を流れる水の熱が、伝熱管の外部へ放出される。その結果、給湯タンク（41）内に貯留された水が加熱され、温水が生成される。
【０１９８】
〈電極ユニット部の構成〉
上述した各実施形態の電源部（70）には、放電の放電電力を一定に制御する定電力制御部を用いている。しかしながら、定電力制御部に代えて、放電時の放電電流を一定に制御する定電流制御部を設けることもできる。この定電流制御を行うと、水の導電率によらず放電が安定するため、スパークの発生も未然に回避できる。
【０１９９】
また、上述した実施形態１では、電源部（70）の正極に電極Ａ（64）を接続し、電源部（70）の負極に電極Ｂ（65）を接続している。しかしながら、電源部（70）の負極に電極Ａ（64）を接続し、電源部（70）の正極に電極Ｂ（65）を接続することで、電極対（64,65）の間で、いわゆるマイナス放電を行うようにしてもよい。
【０２００】
〈イオン交換膜〉
上記各実施形態では、貯水タンク（61）内の空間を、イオン交換膜（61a）によって第１室（S1）と第２室（S2）とに区画しているが、この限りでなく、例えば、イオン交換膜（61a）の代わりに、板状に形成された絶縁性の仕切板を用いても良い。この場合、仕切板に、第１室（S1）と第２室（S2）とを連通させるための少なくとも１つの開口を設ければ良い。これにより、該開口を介して電極対（64,65）間に電流経路が形成されるため、放電や電気分解が行われる。更に、イオン交換膜（61a）や仕切板が設けられていなくても良い。イオン交換膜（61a）や仕切板を設けなくとも、陽極としての電極Ａ（64）付近では酸性水が生成され、陰極としての電極Ｂ（65）付近ではアルカリ水が生成される。
【０２０１】
また、上記各実施形態では、噴霧機構（90）の噴霧部（91）をミストノズル（U2）に設けているが、この限りでなく、例えばシャワーに設けても良い。
【産業上の利用可能性】
【０２０２】
以上説明したように、本発明は、浴槽やミストノズルに酸性水やアルカリ水を供給する給湯システムに有用である。
【符号の説明】
【０２０３】
１、５    制御部
３    放電波形発生部
７    センサ
８    超音波波形発生部
９    増幅器
１０    給湯システム
５０    イオン水供給機構
５２    イオン水供給路（酸性水供給路）
６０    イオン水生成器
６１    貯水タンク
６２    電極ユニット部
６３    イオン水路
６３ａ，６３ｃ    酸性水路
６３ｂ，６３ｄ    アルカリ水路
６４    電極Ａ（電極対）
６４ｘ、６４ｙ    電極
６５    電極Ｂ（電極対）
６５ｘ、６５ｙ    電極
６６    貫通孔
７０    電源部（高電圧発生部）
７０ａ、７０ｂ、７０ｃ    高電圧発生部（電源部）
７１、７１ａ、７１ｂ    絶縁ケーシング
７２      ケース本体
７２ａ    筒壁部（側壁部）
７２ｂ    底部
７３、７３ａ、７３ｂ      蓋部
７４、７４ａ、７４ｂ      開口
９０，９５    噴霧機構
９１    噴霧部
９６ａ    酸性水噴霧部
９６ｂ    アルカリ水噴霧部
９９      エアポンプ
１０４      超音波発生部
１０５      圧電セラミックス
１０６、１０６ａ、１０６ｂ      金属板
１０７      ケース
１０７ａ    金属ケース
１１９      ノズル
１６４、１６６      導電部
１６５、１６７      絶縁部
１８０ａ、１８０ｂ    ケース本体
【図１】
2013138978.tif 000003
【図２】
2013138978.tif 000004
【図３】
2013138978.tif 000005
【図４】
2013138978.tif 000006
【図５】
2013138978.tif 000007
【図６】
2013138978.tif 000008
【図７】
2013138978.tif 000009
【図８】
2013138978.tif 000010
【図９】
2013138978.tif 000011
【図１０】
2013138978.tif 000012
【図１１】
2013138978.tif 000013
【図１２】
2013138978.tif 000014
【図１３】
2013138978.tif 000015
【図１４】
2013138978.tif 000016
【図１５】
2013138978.tif 000017
【図１６】
2013138978.tif 000018
【図１７】
2013138978.tif 000019
【図１８】
2013138978.tif 000020
【図１９】
2013138978.tif 000021
【図２０】
2013138978.tif 000022